(57)【要約】【課題】野球、ソフトボール、ゴルフ、ホッケーなど、主に把持物を把持しながら運動するスポーツにおいて使用され、手首部分の締め付け感及び／又は手とのフィット感を向上させると共に、各スポーツにおける手首関節の運動に対応するスポーツ用手袋を提供すること。【解決手段】  挿入口の小指側に切り込みが設けられた手袋本体と、前記手袋本体のリスト部に固定されたインナーベルト及びオーバーベルトからなり、手袋本体甲側に固定された自在係止具と各ベルトに固定された自在係止具とで引き締めながら係止する。それにより、手首の周囲をしっかりとフィットさせることができ、また手首尺側の側面部分のベルトが二重構造をなすことによってその部分が強化されることから、手首関節を中間位に保ちやすくなり、手首関節の素早い運動に対応することが可能となる。【選択図】      図８
2007023413.tif 000002
【特許請求の範囲】
【請求項１】
挿入口の小指側に設けられた切り込みで区切られ、甲側切り込み端から掌側切り込み端まで手首を周回するリスト部を備えた手袋本体と、
前記手袋本体リスト部の甲側外周面に備えられたリスト部側自在係止具と、
一方の端部に前記リスト部側自在係止具と対偶をなすインナーベルト側自在係止具が備えられ、他方の端部が前記手袋本体リスト部の掌側内周面に固定されたインナーベルトと、
前記リスト部側自在係止具と対偶をなすオーバーベルト側自在係止具が備えられ、端部が前記手袋本体リスト部の掌側切り込み端近傍に固定されたオーバーベルトと、
から成るスポーツ用手袋。
【請求項２】
挿入口の小指側に設けられた切り込みで区切られ、甲側切り込み端から掌側切り込み端まで手首を周回するリスト部を備えた手袋本体と、
前記手袋本体リスト部の甲側外周面に備えられたリスト部側自在係止具と、
一方の端部に前記リスト部側自在係止具と対偶をなすインナーベルト側自在係止具が備えられ、他方の端部が前記手袋本体リスト部の掌側内周面に固定された第１インナーベルトと、
一方の端部が前記第１インナーベルトの中間部に固定され、他方の端部が前記手袋本体リスト部の掌側内周面に固定された第２インナーベルトと、
前記リスト部側自在係止具と対偶をなすオーバーベルト側自在係止具が備えられ、端部が前記手袋本体リスト部の掌側切り込み端近傍に固定されたオーバーベルトと、
から成るスポーツ用手袋。
【請求項３】
手の甲側の挿入口に切り込みが設けられ、前記切り込み両側の手甲小指側部及び手甲親指側部を含む手甲部と手のひらの小指球に対応した小指球部を含む手掌部とを有した手袋本体と、
前記手袋本体の手甲親指側部の表面に備えられた手甲部側自在係止具と、
一方の端部に前記手甲部側自在係止具と対偶をなすインナー片側自在係止具が備えられ、他方の端部が前記手袋本体の手甲小指側部又は小指球部の裏面に固定された第１インナー片と、
一方の端部が前記第１インナー片の中間部に固定され、他方の端部が前記手袋本体の手甲小指側部又は小指球部の裏面に固定された第２インナー片と、
前記手甲部側自在係止具と対偶をなすオーバー舌状片側自在係止具が備えられ、端部が前記手袋本体手甲部の小指側切り込み端近傍に固定されたオーバー舌状片と、
から成るスポーツ用手袋。
【請求項４】
第１インナーベルトと第２インナーベルト又は第１インナー片と第２インナー片とが一体で成形されたことを特徴とする請求項２又は請求項３に記載のスポーツ用手袋。
【発明の詳細な説明】
【技術分野】
【０００１】
本発明は、野球、ソフトボール、ゴルフ、ホッケーなど、主に把持物を把持しながら運動するスポーツにおいて使用され、各スポーツにおける手首関節の運動に対応するスポーツ用手袋に関する。
【背景技術】
【０００２】
従来から、野球、ソフトボール、ゴルフ等スポーツ用の手袋において、リスト部分や手の甲又は手のひら部分など、確実な締め付けや手とのフィット感の向上のための工夫が種々提案されてきた。
【０００３】
例えば、特表平８−５０５５５８号公報（図２〜図５）に記載の手袋については、手首部の閉鎖手段として、リスト部分の外周面に２つの帯をそれぞれ装着し、前記外周面に取り付けられた面ファスナーによってそれぞれ重なるように係止することにより、この二重の帯が常に手袋のぴったりと確実な閉鎖を確実にするものとしている。
【０００４】
また、米国特許第６,１９９,２１１号明細書に記載のサポーターは、まずオーバーフラップで手首部分及び前腕部分を巻き締めて面ファスナーで固定し、さらに弾力性を有したバンドで前記オーバーフラップの外周面を巻き締めることによって、その巻き締め力を調節しながらしっかりと手首部分及び前腕部分を締めることができるとしている。
【０００５】
また、意匠登録第３０２８９５号公報（類似４）に記載の手袋は、挿入口小指側に切り込みが設けられて、掌側切り込み端近傍に並列された２つのベルトが取り付けられ、挿入口側に取り付けられたベルトは手首部甲側に備えられた係止具とで手首部の締め付け調整を、もう一つのベルトは親指と人差し指の叉方向に取り付けられた掛け具で折り返して手の周囲の締め付け調整を行おうとしている。
【０００６】
また、実公昭５３−１７８９２号公報に記載のゴルフ用手袋は、掌部下縁に縫着したゴムバンドを掌部及び甲部から手首にかけての扁平逆円錐面に密着するよう山型に切り欠いた甲部下端に沿って縫着し、山型切欠部の頂部に切り込みを設けて一側縁にファスナー舌片の一端を固定し、切り込み他側の甲部にファスナー片を固定することにより、ゴムバンドの引張力によって、手袋下部を完全にフィットさせ、手首上面を圧迫しないで手首のコックを容易に行うことができるものとしている。
【０００７】
さらに、特開平９−３２７５４３号公報に記載の手袋は、掌本体の一端に甲本体が一体的に形成され、前記掌本体の他端に、小指甲片付き小指甲体が一体的に形成され、前記甲本体の上半分端縁縫代と前記小指甲体の上半分端縁縫代は互いに縫製されることにより、ゴルフクラブのグリップを強く握っても、手袋の裏側に突出している縫代が、使用者に違和感を与えることがないものとしている。
【０００８】
しかしながら、特表平８−５０５５５８号公報（図２〜図５）に記載の手袋においては、２つの帯で環状形の手首部を締めるためにその締めた一部分に皺が生じ、その皺が手首にくい込んで圧迫し、その使用者に不快感を抱かせることになってしまう。また、米国特許第６,１９９,２１１号明細書に記載の手袋についても、手首部分及び前腕部分をオーバーフラップで巻き締めた上に、弾力性を有したバンドでオーバーフラップの大半の外周を巻き締める構造のため、手首及び前腕がほぼ固定された状態になり、その関節運動が行い難いものとなってしまい、スポーツ用の手袋に適するものとはいえない。
【０００９】
また、意匠登録第３０２８９５号公報（類似４）に記載の手袋においては、掌側切り込み端近傍に並列された２つのベルトによって、手首部分と手の周囲の締め付けが行えるものであるが、このような構造であると、そのベルトの引っ張りが小指の側面部に集中することとなり、把持物を強く握る時に小指の掌指球部分が脹らむことから、小指の側面部に突っ張り感が増幅し、その使用者に不快感を抱かせることになってしまう。
【００１０】
また、実公昭５３−１７８９２号公報に記載のゴルフ用手袋は、前記のような形状にすることによって手袋下部を完全にフィットさせ、手首上面を圧迫しないで手首のコックを容易に行うことができるものの、逆の効果として手首関節に不安定さが生じる恐れがある。
【００１１】
また、特開平９−３２７５４３号公報に記載の手袋は、手袋の甲側に設けられたスリットを両サイドの面ファスナーにて締めることにより手にフィットさせる構造となっているが、その使用者が手にフィットするよう面ファスナーの係止位置を調節した後にゴルフクラブのグリップを強く握ることによって、小指の端肉が張り出しによる突っ張り感が生じるのであって、いくら縫代位置を変更してもこの突っ張り感の解消するには到らないといわざるを得ない。
【００１２】
このように、従来の技術においては、これら手袋を手に装着したときの静的な締め付けやフィット感については考慮されてはいるものの、スポーツを行う際の手首関節の屈伸・内外転運動及び前腕の回内・回外運動や、把持物を把持したときに生じる手の形状の変化といった動的な動きに対処することが考慮されておらず、必ずしも有効なスポーツ用手袋の提案とは成り得ていないというのが問題点であった。
【００１３】
【特許文献１】特表平８−５０５５５８号公報（図２〜図５）
【特許文献２】米国特許第６,１９９,２１１号明細書
【特許文献３】意匠登録第３０２８９５号公報（類似４）
【特許文献４】実公昭５３−１７８９２号公報
【特許文献５】特開平９−３２７５４３号公報
【発明の開示】
【発明が解決しようとする課題】
【００１４】
ここで、手首関節を中心に上肢の構成及び運動特性を簡単に説明すると、まず上肢は上腕、前腕及び手の部分に大別され、各接続部分で関節を形成する。上腕の上腕骨と前腕の橈骨及び尺骨とで肘関節を形成し、前腕の橈骨及び尺骨の両端で上橈尺関節と下橈尺関節を形成し、前腕の橈骨遠位端と手の手根骨近位列とで橈骨手根関節を、手根骨の近位列及び遠位列間で手根中央関節をなして、手首関節を形成する。尚、橈骨側（親指側）を橈側、尺骨側（小指側）を尺側という。
【００１５】
各関節はその構成によって、それぞれ特徴をもった関節運動を行うことができ、肘関節では屈曲・伸展運動を、上・下橈尺関節では前腕の回内・回外運動を、橈骨手根関節及び手根中央関節の手首関節では内転・外転（尺屈・橈屈）運動及び屈曲・伸展運動をそれぞれ行うことができる。
【００１６】
前記関節運動を可能とするために、筋がそれぞれの関節を跨いで各骨に付着し、筋の収縮によって関節運動がなされる。そして、一方向の関節運動は、その運動に対して主動的に働く主動筋とそれに協力的に働くいくつかの共同筋の働きで行われ、この一方向の運動を司る主動筋とは反対方向に働くいくつかの拮抗筋が必ず対応している。例えば、手首関節を屈曲させる場合は尺側手根屈筋と橈側手根屈筋が共同して主動的に働き、長橈側手根伸筋、短橈側手根伸筋、尺側手根伸筋が拮抗筋としての働きをする。
【００１７】
また、いくつかの関節を跨いで付着する多関節筋と呼ばれる筋は、一つの関節運動の働きだけではなく、その他の関節に対して補助的な働きをしてその関節運動に影響を及ぼす。例えば、長母指外転筋は、手根と母指を橈側に外転させることが主な働きであるが、回外筋や上腕二頭筋等と共に協力して前腕の回外運動を助ける働きをも担う。
【００１８】
また、その付着が手の中に収まっている内在筋のうち、小指の基節を屈曲、外転或いは母指と対立させる働きをする短小指屈筋、小指外転筋及び小指対立筋を総称して小指球筋と呼び、手のひらの小指側土手の小指球と呼ばれる脹らみを形成する。
【００１９】
さらに、８つの手根骨は手首関節運動を行う際、それぞれ互いにずれながら可動しており、手首関節外転時には手根骨近位列は掌屈し内転時には背屈する。また、橈骨及び手根骨の月状骨並びに有頭骨との関係は、有頭骨の軸が橈骨軸よりやや背側にずれており、月状骨の橈骨関節面の曲率中心と有頭骨関節面のそれとも異なっている。そのため、月状骨が軽度掌屈位にておいて安定し、背屈位においては軸圧に対して不安定となる。また、橈骨手根関節において、橈骨の遠位端が内側及び尺側方向に傾斜をなしており、筋が弛緩している状態では、手根骨は屈曲・内転位に滑りやすくなる。（以上図１９〜図２２参照）
【００２０】
このように、上肢運動、特に前腕及び手首関節周辺の動きは、各骨の構成や各筋の走行によって、様々な運動特性を有しており、スポーツ時においては手首の激しい運動を伴うことから、手袋を手に装着しても手首関節運動等の妨げにならず、また同時に形状の異なる手や手首の部分にいかにフィットさせるかがスポーツ用の手袋に求められるものである。そして、特に把持物を把持する時に使用する手袋においては、しっかりと把持する時の手の変化にも対応できるものが、スポーツ用手袋として真に求められるものである。
【００２１】
そこで、本発明においては、手首部分の締め付け感及び／又は手とのフィット感の向上を行うと共に、スポーツを行う際の手首関節の屈伸・内外転運動及び前腕の回内・回外運動や、把持物を把持したときに生じる手の形状の変化といった動的な動きにも対応できることを成し遂げようとするものである。
【００２２】
よって本発明の目的は、野球、ソフトボール、ゴルフ、ホッケーなど、主に把持物を把持しながら運動するスポーツにおいて使用され、手首部分の締め付け感及び／又は手とのフィット感を向上させると共に、各スポーツにおける手首関節の運動に対応するスポーツ用手袋を提供することにある。
【課題を解決するための手段】
【００２３】
本課題を解決するためのひとつとしては、挿入口の小指側に設けられた切り込みで区切られ、甲側切り込み端から掌側切り込み端まで手首を周回するリスト部を備えた手袋本体と、前記手袋本体リスト部の甲側外周面に備えられたリスト部側自在係止具と、一方の端部に前記リスト部側自在係止具と対偶をなすインナーベルト側自在係止具が備えられ、他方の端部が前記手袋本体リスト部の掌側内周面に固定されたインナーベルトと、前記リスト部側自在係止具と対偶をなすオーバーベルト側自在係止具が備えられ、端部が前記手袋本体リスト部の掌側切り込み端近傍に固定されたオーバーベルトとからなることにより解決されるものである。
【００２４】
前記スポーツ用手袋を手に装着し、まず手袋本体リスト部の掌側内周面に固定されたインナーベルトを、切り込みを通してリスト部の甲側外周側に引き締めながら係止することにより、手首部分の周囲を近位・遠位方向の歪み少なく巻き締めることができる。次にオーバーベルトをインナーベルトの外側を被せながらリスト部の甲側外周側に係止することにより、リスト部のベルトによる引っ張りが掌側の尺側に集中せず橈側にも分散することが可能となり、引っ張り力の偏りが少なく手首の周囲をしっかりと巻き締めることができると共に、手袋のリスト部及びその周辺の部分を手首及び手にフィットさせることができるものである。また、手首尺側の側面部分のベルトが二重構造をなしてその部分が強化されることから、手首関節を内転・外転方向の中間位に保つやすくなるよう作用する。
【００２５】
また別の手段として、挿入口の小指側に設けられた切り込みで区切られ、甲側切り込み端から掌側切り込み端まで手首を周回するリスト部を備えた手袋本体と、前記手袋本体リスト部の甲側外周面に備えられたリスト部側自在係止具と、一方の端部に前記リスト部側自在係止具と対偶をなすインナーベルト側自在係止具が備えられ、他方の端部が前記手袋本体リスト部の掌側内周面に固定された第１インナーベルトと、一方の端部が前記第１インナーベルトの中間部に固定され、他方の端部が前記手袋本体リスト部の掌側内周面に固定された第２インナーベルトと、前記リスト部側自在係止具と対偶をなすオーバーベルト側自在係止具が備えられ、端部が前記手袋本体リスト部の掌側切り込み端近傍に固定されたオーバーベルトとからなることにより解決されるものである。
【００２６】
この手段によると、第１と第２インナーベルトを設けることによって、前記インナーベルト単独だけの働きを更に確実なものとなし、手首部分の外周を真っ直ぐに巻き締める働きをする。そして、オーバーベルトと共同で前記作用に加え、手首関節を屈曲・伸展方向の中間位に保つやすくなるよう作用する。
【００２７】
また別の手段として、手の甲側の挿入口に切り込みが設けられ、前記切り込み両側の手甲小指側部及び手甲親指側部を含む手甲部と手のひらの小指球に対応した小指球部を含む手掌部とを有した手袋本体と、前記手袋本体の手甲親指側部の表面に備えられた手甲部側自在係止具と、一方の端部に前記手甲部側自在係止具と対偶をなすインナー片側自在係止具が備えられ、他方の端部が前記手袋本体の手甲小指側部又は小指球部の裏面に固定された第１インナー片と、一方の端部が前記第１インナー片の中間部に固定され、他方の端部が前記手袋本体の手甲小指側部又は小指球部の裏面に固定された第２インナー片と、前記手甲部側自在係止具と対偶をなすオーバー舌状片側自在係止具が備えられ、端部が前記手袋本体手甲部の小指側切り込み端近傍に固定されたオーバー舌状片とからなることにより解決されるものである。
【００２８】
この手段によると、前記スポーツ用手袋を手に装着し、まず手袋本体の手甲小指側部又は小指球部の裏面に固定された第１インナー片を、切り込みを通して手甲親指側部の表面に引き締めながら係止することにより、第１及び第２インナー片によって手の周囲を引き締める働きをし、同時に第１インナー片と第２インナー片との間、つまりは小指球に該当する側面部の引っ張り力がやや緩和されるように働く。この働きによって、手とのフィット感を保ちながら、把持物を強く握ったときの小指球の脹らみにも対応することができる。次に手袋本体手甲部の小指側切り込み端近傍に固定されたオーバー舌状片を手甲親指側部の表面に係止することにより、切り込み端両側の接続をより確実なものとし、手とのフィット感及び安定感を付与するように作用する。
【００２９】
また別の手段として、前記第１インナーベルトと第２インナーベルト又は、第１インナー片と第２インナー片とが一体で成形されることによっても解決される。
【００３０】
この手段によると、第１インナーベルトと第２インナーベルトとの間又は、第１インナー片と第２インナー片との間の引っ張り力がより確実に伝達されることとなる。
【発明の効果】
【００３１】
本発明によれば、手袋本体とインナーベルト及びオーバーベルト若しくは、手袋本体とインナー片及びオーバー舌状片とによって、二重構造又は三重構造をなすことにより、手首部分の締め付け感及び／又は手とのフィット感を向上させることができ、スポーツをする使用者にとっては安定感が増すことになり、よりプレイに集中することがでるようになるという効果を生み出すものである。
【００３２】
さらに、手首関節を中間位に保ちやすくなることで、各スポーツの様々な手の動きにもスムーズに対応することができるようになり、また小指球の形状の変化に対して突っ張り感が生じず、しっかりと把持物を把持できるようになることから、そのプレイの技術の向上という効果をもたらすものである。
【００３３】
また更には、手首関節や前腕部の上肢運動が効率よくスムーズに行えるように成ることにより、関節の運動連鎖によって全身運動においても柔軟性が向上し、より高度な運動パフォーマンスを行うことができるという効果を、本発明のスポーツ用手袋は生み出すことができる。
【発明を実施するための最良の形態】
【００３４】
以下、図１〜図１８を用いて本発明の実施の形態について説明する。
【実施例１】
【００３５】
まず、図１〜図５を用いて実施例１について説明をする。図１は手袋本体０１を甲側から見た斜視図であり、図２は本実施例のスポーツ用手袋１０を甲側から表した斜視図である。図３はスポーツ用手袋１０の各ベルトの閉じ方を示した図で、（Ａ）及び（Ｂ）はスポーツ用手袋１０の各ベルトをリスト部０１ａ甲側外周に係止する様子を表した図である。図４はスポーツ用手袋１０を装着し、ベルトを閉じた状態を甲側から表した斜視図であり、図５は図４のＹ−Ｙ断面図である。
【００３６】
図１で示すように手袋本体０１は、挿入口の小指側に切り込みが設けられ、甲側切り込み端から掌側切り込み端まで手首を周回するリスト部０１ａを備えている。切り込みの長さは手袋本体０１のサイズにもよるが、挿入口縁より４ｃｍ程度〜１０ｃｍ程度とし、好ましくは５ｃｍ程度〜８ｃｍ程度の範囲でサイズに合わせて適宜決めれば良い。
【００３７】
手袋本体０１の主要な素材として、天然皮革、合成皮革又は人工皮革が挙げられるが、天然繊維及び／又は合成繊維からなる編み地又は織り地、ウレタンやシリコン等の合成樹脂又は天然若しくは合成ゴム等を部分的に使用してデザイン性を向上させても良く、甲側の手指関節に位置する部分に伸縮性を有する素材を用いて、当該関節を屈曲させやすくさせるようにしても良い。またリスト部０１ａは、天然繊維及び／又は合成繊維の編み地にゴム糸やスパンデックス等の弾性糸を加えるなどして伸縮性を有した素材を用いるのが好ましい。また、手袋本体０１の各パーツは縫製によって形成されるが、素材により部分的に接着、粘着、熱圧着又は熱融着などの方法によって形成されたものでも差し支えない。
【００３８】
そして、図２によって表されるように、前記手袋本体０１のリスト部０１ａの甲側外周にリスト部側自在係止具１０ａとして面ファスナーの雌・雄が固定され、リスト部０１ａの掌側内周面には、一方の端部にリスト部側自在係止具１０ａと対偶をなす面ファスナー１０ｂの雄が固定されたインナーベルト１０ｃの他方の端部が、リスト部０１ａの掌側切り込み端近傍には、リスト部側自在係止具１０ａと対偶をなす面ファスナー１０ｄの雌が固定されたオーバーベルト１０ｅの端部がそれぞれ縫着されている。尚、各ベルトとリスト部０１ａ又は面ファスナーとの固定方法は縫着とするが、その他接着、粘着、熱圧着又は熱融着などの方法で差し支えない場合は、それらの方法でも構わない。
【００３９】
前記のように各自在係止具を利用しやすい面ファスナーとしているが、ホックや粘着等の方法によっても差し支えない。また、本実施例においては、それぞれの係止具の関係を解りやすく表すためにリスト部０１ａ側の面ファスナーを雌・雄と分けているが、どちらかの一方だけであっても一向に差し支えない。また、製造工程の中で、インナーベルト１０ｃ又はオーバーベルト１０ｅと面ファスナーが一体的に製造されていても良い。
【００４０】
インナーベルト１０ｃ及びオーバーベルト１０ｅの形状は略帯状としているが、その形態をデザインのための変形や端部の隅切り・丸めを行っても一向に差し支えない。そして、それらの長さは手袋本体０１のサイズにもよるが、インナーベルト１０ｃは４ｃｍ程度〜１２ｃｍ程度の範囲でサイズに合わせて適宜決めれば良く、オーバーベルト１０ｅにおいても４ｃｍ程度〜１０ｃｍ程度の範囲でサイズに合わせて適宜決めれば良い。また幅は、インナーベルト１０ｃ及びオーバーベルト１０ｅとも１ｃｍ程度〜６ｃｍ程度とする。またそれらの厚みは手首運動を考慮して０．５ｃｍ程度までの範囲で適宜決めれば良い。
【００４１】
また、インナーベルト１０ｃ及びオーバーベルト１０ｅの素材は、天然皮革、合成皮革及び人工皮革の他、天然繊維及び／又は合成繊維からなる編み地又は織り地、シリコン・ウレタン・塩化ビニルなどの合成樹脂、天然ゴム、合成ゴムなど手首を巻き締めるのに差し支えない程度の剛軟性を有するものであれば良い。
【００４２】
このように構成された本実施例のスポーツ用手袋１０は図３（Ａ）に示すように、まずインナーベルト１０ｃを、切り込みを通してリスト部０１ａ甲側外周の面ファスナー１０ａに係止する。このリスト部０１ａの掌側内周面に固定されたインナーベルト１０ｃがリスト部０１ａ甲側外周に係止される際、その間手袋本体０１リスト部０１ａ以外の生地とは接触しないため、その生地からの引っ張りの干渉を受けることがなく、手首部分の周囲を近位・遠位方向の歪み少なく巻き締めることができることになる。そして図３（Ｂ）に示すようにオーバーベルト１０ｅをインナーベルト１０ｃの外側を被せながらリスト部０１ａの甲側外周の面ファスナー１０ａに係止することにより、手首尺側の側面部分のベルトが二重構造をなすことになりその部分が強化されることから、手首関節を内転・外転方向の中間位に保ちやすくなるよう作用することになる。
【００４３】
そして、図５で表されるように、手に装着された本実施例のスポーツ用手袋１０は、リスト部０１ａのベルトによる引っ張りが掌側の尺側に集中せず橈側にも分散することができ、張力の偏りが少なく手首の周囲をしっかりと巻き締めることができることになる。そして、手袋本体０１のリスト部０１ａ及びその周辺の部分を手首及び手にフィットさせることができることとなる。また、図４で表されるように、インナーベルト１０ｃを見せることによってデザイン性が出てくることにもなる。
【００４４】
以上のように本実施例のスポーツ用手袋１０においては、手首関節を内転・外転方向の中間位に保ちやすくなるように作用することから、つまり手首関節をニュートラルポジションに保ちやすくなることから、激しい手首関節のポジション変化を要する運動にも素早く対応できることになる。従って、これら作用を有する本実施例のスポーツ用手袋１０は、主に野球の守備用手袋、ホッケーのスティック把持又はテニス若しくはバトミントンのラケット把持等の激しい手首関節運動の変化を伴う各種スポーツにその効果を発揮するものである。
【実施例２】
【００４５】
次に実施例２について図１及び図６〜図９を用いて説明する。図１は実施例１と同じく手袋本体０１を甲側から見た斜視図であり、図６は本実施例のスポーツ用手袋２０の特徴を甲側から表した斜視図である。図７はスポーツ用手袋２０の各ベルトの閉じ方を示した図で、（Ａ）及び（Ｂ）はスポーツ用手袋２０の各ベルトをリスト部０１ａ甲側外周に係止する様子を表した図である。図８はスポーツ用手袋２０を装着し、ベルトを閉じた状態を甲側から表した斜視図であり、図９は図８のＹ−Ｙ断面図である。
【００４６】
本実施例の特徴は、第１及び第２インナーベルト２０ｃ及び２０ｄを有することである。図６に表されているように、第１インナーベルト２０ｃの一方の端部に手袋本体０１のリスト部側自在係止具２０ａと対偶をなす面ファスナー２０ｂの雌が固定され、同ベルト２０ｃの中間部に第２インナーベルト２０ｄの一方の端部が固定されて、第１及び第２インナーベルト２０ｃ及び２０ｄの他方の端部が手袋本体０１リスト部０１ａの掌側内周面にそれぞれ縫着されている。そして、リスト部０１ａの掌側切り込み端近傍には、リスト部側自在係止具２０ａと対偶をなす面ファスナー２０ｅの雌が固定されたオーバーベルト２０ｆが縫着されている。
【００４７】
手袋本体０１は図１よって表され、その素材は実施例１に準ずるものとし、オーバーベルト２０ｆの素材及び形状及び各自在係止具についても実施例１に準ずるものとする。また、インナーベルトの素材は第１及び第２インナーベルト２０ｃ及び２０ｄとも実施例１に準じ、その形状は略帯状とする。が、その形態をデザインのための変形や端部の隅切り・丸めを行っても一向に差し支えない。そして、第１及び第２インナーベルト２０ｃ及び２０ｄの長さは手袋本体０１のサイズにもよるが、それぞれ３ｃｍ程度〜１０ｃｍ程度とし、第２インナーベルト２０ｄを第１インナーベルト２０ｃに固定した状態の総延長で、４ｃｍ程度〜１２ｃｍ程度の範囲で手袋本体０１のサイズに合わせて適宜決めれば良い。また、幅及び厚みは実施例１に準ずれば良いものとする。
【００４８】
また、第１及び第２インナーベルト２０ｃ及び２０ｄの構成は、第２インナーベルト２０ｄのリスト部０１ａ掌側内周への固定部が、第１インナーベルト２０ｃのそれへの固定部より掌側切り込み端側となるよう第２インナーベルト２０ｄの一方の端部を、第１インナーベルト２０ｃの中間部に固定した構成としても良いが、好ましくは図６及び図９で表されているように、第１インナーベルト２０ｃのリスト部０１ａ掌側内周への固定部が、第２インナーベルト２０ｄのそれへの固定部より掌側切り込み端側となるよう構成する方が望ましい。尚、インナーベルト同士の固定方法は、その素材により縫着、接着、粘着、熱圧着又は熱融着などの方法とすれば良い。
【００４９】
このように構成された本実施例のスポーツ用手袋２０は図７（Ａ）に示すように、まず第１インナーベルト２０ｃを、切り込みを通してリスト部０１ａ甲側外周の面ファスナー２０ａに係止する。このリスト部０１ａの掌側内周面に固定された第１インナーベルト２０ｃがリスト部０１ａ甲側外周に係止される際、実施例１と同様にその間手袋本体０１リスト部０１ａ以外の生地とは接触しないため、その生地からの引っ張りの干渉を受けることがなく、そして第１及び第２インナーベルト２０ｃ及び２０ｄを擁する構成とすることによって、実施例１よりも更に手首部分の外周を真っ直ぐに巻き締めることができることになる。そして図７（Ｂ）に示すようにオーバーベルト２０ｆを第１インナーベルト２０ｃの外側を被せながらリスト部０１ａの甲側外周の面ファスナー２０ａに係止することにより、手首尺側の側面部分のベルトが二重構造をなすことになりその部分が強化されることから、手首関節を内転・外転方向の中間位に保ちやすくなるよう作用することになると共に、第１及び第２インナーベルト２０ｃ及び２０ｄを設けることによって、手首関節を屈曲・伸展方向の中間位に保ちやすくなるよう作用することになる。
【００５０】
そして、図９で表されるように、手に装着された本実施例のスポーツ用手袋２０についても、リスト部０１ａのベルトによる引っ張りが掌側の尺側に集中せず橈側にも分散することができ、張力の偏りが少なく手首の周囲をしっかりと巻き締めることができることになり、手袋本体０１のリスト部０１ａ及びその周辺の部分を手首及び手にしっかりとフィットさせることができることになる。
【００５１】
また、本実施例の効果についても実施例１と同様に、手首関節を内転・外転方向及び屈曲・伸展方向の中間位に保ちやすくなるよう作用することから、つまり手首関節をニュートラルポジションに保ちやすくなることから、激しい手首関節のポジション変化を要する運動にも素早く対応できることになる。従って、これら作用を有する本実施例のスポーツ用手袋２０は、主にパワーと素早い手首関節運動の変化に対応しなければならない野球のバッティング用手袋として、その効果を充分に発揮されるものである。
【実施例３】
【００５２】
次に実施例３について図１０〜図１５を用いて説明する。図１０及び図１１は手袋本体０３の甲側及び掌側を表した平面図であり、図１２は本実施例のスポーツ用手袋３０の特徴を甲側から表した斜視図である。図１３は本実施例におけるスポーツ用手袋３０の第１インナー片３０ｃ及びオーバー舌状片３０ｆの閉じ方を示した図で、（Ａ）は第１インナー片３０ｃを（Ｂ）はオーバー舌状片３０ｆを係止する様子を表した図である。図１４はスポーツ用手袋３０の第１インナー片３０ｃを閉じた状態を甲側から表した平面図であり、図１５はスポーツ用手袋３０を装着し、第１インナー片３０ｃ及びオーバー舌状片３０ｆを閉じた状態を甲側から表した斜視図であり、図１６は図１５のＹ−Ｙ断面図である。
【００５３】
図１０及び図１１で示すように手袋本体０３は、手の甲側の挿入口に切り込みが設けられ、前記切り込み両側の手甲小指側部０３ａ及び手甲親指側部０３ｂを含む手甲部０３１と手のひらの小指球に対応した小指球部０３ｃを含む手掌部０３２とを有している。切り込みの長さは手袋本体０３のサイズにもよるが、挿入口縁より４ｃｍ程度〜１０ｃｍ程度とし、好ましくは５ｃｍ程度〜８ｃｍ程度の範囲でサイズに合わせて適宜決めれば良い。
【００５４】
手袋本体０３の主要な素材として、天然皮革、合成皮革又は人工皮革が挙げられるが、合成繊維などからなる編み地又は織り地、ウレタンやシリコン等の合成樹脂又は天然若しくは合成ゴム等を部分的に使用してデザイン性を向上させても良く、甲側の手指関節に位置する部分に伸縮性を有する素材を用いて、当該関節を屈曲させやすくさせても良い。また、手首部分やナックル部分などの裏側にゴムバンドを当ててシャーリングを施し、伸縮性を持たせても良い。また、手袋本体０３の各パーツは縫製によって形成されるが、素材により部分的に接着、粘着、熱圧着又は熱融着などの方法によって形成されたものでも差し支えない。
【００５５】
そして、図１２によって表されるように、手袋本体０３の手甲親指側部０３ｂの表面に手甲部側自在係止具３０ａとして面ファスナーの雄が固定され、同手袋本体０３の手甲小指側部０３ａの裏面には、一方の端部に前記手甲部側自在係止具３０ａと対偶をなす面ファスナー３０ｂの雌が固定された第１インナー片３０ｃが縫着され、前記第１インナー片の３０ｃ中間部に第２インナー片３０ｄの一方の端部が固定されて、第１インナー片３０ｃの他方の端部が前記手袋本体の手甲小指側部０３ａの裏面に、第２インナー片３０ｄの他方の端部が同手袋本体０３の小指球部０３ｃの裏面にそれぞれ縫着されている。そして、前記手袋本体０３手甲部０３１の小指側切り込み端近傍には、前記手甲部側自在係止具３０ａと対偶をなす面ファスナー３０ｅの雌が固定されたオーバー舌状片３０ｆが逢着されている。尚、第１及び第２インナー片３０ｃ及び３０ｄ同士、各インナー片又はオーバー舌状片３０ｆと手袋本体０３若しくは各面ファスナーとの固定方法は縫着とするが、その他接着、粘着、熱圧着又は熱融着などの方法で差し支えない場合は、それらの方法を用いても構わない。
【００５６】
前記のように各自在係止具を利用しやすい面ファスナーとしているが、ホックや粘着等の方法によっても差し支えない。また、製造工程の中で、各インナー片又はオーバー舌状片３０ｆと各面ファスナーが一体的に製造されていても良い。
【００５７】
また、第１及び第２インナー片３０ｃ及び３０ｄの構成は、第２インナー片３０ｄの手袋本体０３への固定部が、第１インナー片３０ｃの手袋本体０３への固定部より小指側切り込み端側となるよう第２インナー片３０ｄの一方の端部を、第１インナー片３０ｃの中間部に固定した構成としても良いが、図１２及び図１６に表されているように、第１インナー片３０ｃの手袋本体０３への固定部が、第２インナー片３０ｄの手袋本体０３への固定部より小指側切り込み端側となるよう構成する方が望ましい。
【００５８】
第１及び第２インナー片３０ｃ及び３０ｄの素材は、天然皮革、合成皮革又は人工皮革の手袋本体の共布を使用すれば良いが、天然繊維及び／又は合成繊維からなる編み地又は織り地、シリコン・ウレタン・塩化ビニルなどの合成樹脂、天然ゴム、合成ゴムなど手を巻き締めるのに差し支えない程度の剛軟性を有するものであれば差し支えない。またその形状は、切り込みの部分を通すことができ、手甲小指側部０３ａや小指球部０３ｃに該当する程度の大きさであれば良く、切り込み方向の長さは３ｃｍ程度〜６ｃｍ程度までが好ましい。また、手の周方向の長さは第１インナー片で３ｃｍ程度〜８ｃｍ程度、第１インナー片で３ｃｍ程度〜１２ｃｍ程度の範囲で手袋本体０３の大きさに合わせて適宜決めれば良い。
【００５９】
オーバー舌状片３０ｆの素材はウレタン・塩化ビニルなどの合成樹脂製が望ましいが、その他天然皮革、合成皮革及び人工皮革、天然繊維及び／又は合成繊維からなる編み地又は織り地、天然ゴム、合成ゴムなどであっても差し支えない。また、その形状は手袋本体０３の手甲親指側部０３ｂの範囲内に納まるようにすればよく、剛軟性やデザイン性を考慮して決めれば差し支えない。
【００６０】
このように構成された本実施例のスポーツ用手袋３０は図１３（Ａ）及び図１４に示すように、まず第１インナー片３０ｃを、切り込みを通して手甲親指側部０３ｂの面ファスナー３０ａに係止する。この時、第１及び第２インナー片３０ｃ及び３０ｄによって手の周囲を引き締めると共に、第１インナー片３０ｃと第２インナー片３０ｄとの間、つまりは手袋本体０３の側面部の引っ張りがやや緩和されるようになる。これは第１インナー片３０ｃを引き締める際、手袋本体０３の小指側切り込み端に近い方の生地にその張力が掛かり、その張力の掛かり具合によってほぼ同時に、第１インナー片３０ｃの中間部に固定された第２インナー片３０ｄにその張力が伝わり、そして第２インナー片３０ｄが固定された部分の手袋本体０３の生地を引っ張ることによるものである。
【００６１】
このように本実施例のスポーツ用手袋３０の特徴である前記構成及び働きによって、手とのフィット感を保ちながら、把持物を強く握ったときの小指球の脹らみにも対応することができることになる。そして図１３（Ｂ）及び図１６に示すように、手袋本体０３手甲部０３１の小指側切り込み端近傍に固定されたオーバー舌状片３０ｆを手甲親指側部０３ｂの面ファスナー３０ａに係止することにより、切り込み端両側の接続をより確実なものとし、手とのフィット感及び安定感をなお一層付与するように作用することになる。
【００６２】
しかし、前記のように第１及び第２インナー片３０ｃ及び３０ｄを設けることによって、スポーツ用手袋３０の切り込み両端部を引き締めて開閉する操作の手間が増えることになる。そこで図１５に表されているように、第１インナー片３０ｃの端をオーバー舌状片３０ｆよりもはみ出るようにその長さを調節する。そして、開けるときにはその第１インナー片３０ｃの端引っ張ることによって一度で済むようにすれば、前記手間の半分が解消されることになる。尚、オーバー舌状片３０ｆのオーバー舌状片側自在係止具３０ｅが手袋本体０３の手甲部側自在係止具３０ａと係止できるよう第１インナー片３０ｃの形状を考慮しなければならない。
【００６３】
本実施例のスポーツ用手袋３０においては、把持物を強く握ったときの小指球の脹らみに対応することができることから、把持物を深くしっかりと握ることが可能となり、細めの把持物を握るスポーツに有効であり、主にゴルフ用の手袋としてその効果を発揮するものである。
【実施例４】
【００６４】
次に実施例４について図１７及び図１８を用いて説明する。図１７は本実施例のスポーツ用手袋４０を手に装着した時の甲側を表した斜視図であり、図１８は図１７のＹ−Ｙ断面を表した図である。
【００６５】
本実施例は、実施例２の第１インナーベルト２０ｃと第２インナーベルト２０ｄとが一体で成形されたインナーベルト４０ｃを有することを特徴とする。その素材はシリコン・ウレタン・塩化ビニルなどの合成樹脂、天然ゴム、合成ゴムなど手を巻き締めるのに差し支えない剛軟性を有したものとし、その他は実施例２に準ずるものとする。
【００６６】
このように構成することで、第１インナーベルト２０ｃと第２インナーベルト２０ｄとの間の引っ張り力がより確実に伝達されることとなり、その効果及び用途は実施例２と同様に発揮される。
【００６７】
また、特に図示はしないが、実施例３の第１インナー片３０ｃと第２インナー片３０ｄとが一体で成形されたことを特徴とした場合は、第１インナー片３０ｃと第２インナー片３０ｄとの間の引っ張り力がより確実に伝達されることとなり、その効果及び用途は実施例３と同様に発揮される。
【００６８】
以上、実施の形態として実施例１から実施例４まで図を用いて説明を行ったが、各図は左手用のスポーツ用手袋を描いており、右手用のスポーツ用手袋においても、左右一対のスポーツ用手袋として又は左利き用のスポーツ用手袋として、本発明の範囲に属するものである。
【産業上の利用可能性】
【００６９】
一般的に普及している従来技術のスポーツ用の手袋は、安価で一般スポーツ競技者又は愛好家に広く使用されているものである。そして前記説明の通り、本発明に係わるスポーツ用手袋においては、従来技術より製造工程が増えるものの、手首部分の締め付け感及び／又は手とのフィット感を向上させると共に、各スポーツにおける手首関節の運動に対応するという効果が実現されるものであり、一つの動作に多くの時間を割いて練習するスポーツ競技者にとって、その使用価値は計りしれないほど高いものである。さらに昨今スポーツ界において自己実現を果たそうとする人々が多くなってきていることからも、本発明のようなスポーツ用手袋を多くの人々が待望しており、利用者に多大なる貢献をもたらすものと期待される。
【００７０】
また、手首関節運動がスムーズに行えるようになることから、肘関節回りの特定の筋又は関節の酷使によるテニス肘など、上肢のスポーツ傷害予防にも役立つものと考えられ、広くスポーツ界の発展に貢献できるものと確信される。
【図面の簡単な説明】
【００７１】
【図１】手袋本体を甲側から見た斜視図である。
【図２】本発明実施例１におけるスポーツ用手袋の特徴を甲側から表した斜視図である。
【図３】本発明実施例１におけるスポーツ用手袋のベルトの閉じ方を示した図で、（Ａ）はインナーベルトを（Ｂ）はオーバーベルトを係止する様子を表した図である。
【図４】本発明実施例１におけるスポーツ用手袋を手に装着した時の甲側を表した斜視図である。
【図５】図４のＹ−Ｙ断面を表した図である。
【図６】本発明実施例２におけるスポーツ用手袋の特徴を甲側から表した斜視図である。
【図７】本発明実施例２におけるスポーツ用手袋のベルトの閉じ方を示した図で、（Ａ）はインナーベルトを（Ｂ）はオーバーベルトを係止する様子を表した図である。
【図８】本発明実施例２におけるスポーツ用手袋を手に装着した時の甲側を表した斜視図である。
【図９】図８のＹ−Ｙ断面を表した図である。
【図１０】本発明実施例３における手袋本体の甲側を表した平面図である。
【図１１】本発明実施例３における手袋本体の掌側を表した平面図である。
【図１２】本発明実施例３におけるスポーツ用手袋の特徴を甲側から表した斜視図である。
【図１３】本発明実施例３におけるスポーツ用手袋のインナー片及びオーバー舌状片の閉じ方を示した図で、（Ａ）はインナー片を（Ｂ）はオーバー舌状片を係止する様子を表した図である。
【図１４】本発明実施例３におけるスポーツ用手袋のインナー片を閉じた状態を甲側から表した平面図である。
【図１５】本発明実施例３におけるスポーツ用手袋を手に装着した時の甲側を表した斜視図である。
【図１６】図１５のＹ−Ｙ断面を表した図である。
【図１７】本発明実施例４におけるスポーツ用手袋を手に装着した時の甲側を表した斜視図である。
【図１８】図１７のＹ−Ｙ断面を表した図である。
【図１９】上肢の骨格を表した図である。
【図２０】手首関節の運動肢位を表した図である。
【図２１】手首関節の模式図である。
【図２２】小指球を表した図である。
【符号の説明】
【００７２】
０１    手袋本体
０１ａ  リスト部
１０    スポーツ用手袋
１０ａ  リスト部側自在係止具（面ファスナー）
１０ｂ  インナーベルト側自在係止具（面ファスナー）
１０ｃ  インナーベルト
１０ｄ  オーバーベルト側自在係止具（面ファスナー）
１０ｅ  オーバーベルト
２０    スポーツ用手袋
２０ａ  リスト部側自在係止具（面ファスナー）
２０ｂ  インナーベルト側自在係止具（面ファスナー）
２０ｃ  第１インナーベルト
２０ｄ  第２インナーベルト
２０ｅ  オーバーベルト側自在係止具（面ファスナー）
２０ｆ  オーバーベルト
０３    手袋本体
０３１  手甲部
０３２  手掌部
０３ａ  手甲小指側部
０３ｂ  手甲親指側部
０３ｃ  小指球部
３０    スポーツ用手袋
３０ａ  手甲部側自在係止具（面ファスナー）
３０ｂ  インナー片側自在係止具（面ファスナー）
３０ｃ  第１インナー片
３０ｄ  第２インナー片
３０ｅ  オーバー舌状片側自在係止具（面ファスナー）
３０ｆ  オーバー舌状片
４０    スポーツ用手袋
４０ａ  リスト部側自在係止具（面ファスナー）
４０ｂ  インナーベルト側自在係止具（面ファスナー）
４０ｃ  インナーベルト
４０ｄ  オーバーベルト側自在係止具（面ファスナー）
４０ｅ  オーバーベルト
ａ  上腕骨、ｂ  橈骨、ｃ  尺骨、ｄ  手根骨
ｅ  肘関節、ｆ  上橈尺関節、ｇ  下橈尺関節
ｈ  手首関節、ｉ  橈骨手根関節、ｊ  手根中央関節
ｋ  回内運動
ｌ  中間肢位、ｍ  外転、ｎ  内転、ｏ  屈曲、ｐ  伸展
ｑ  近位手根列、ｒ  遠位手根列
ｓ  小指球
【図１】
2007023413.tif 000003
【図２】
2007023413.tif 000004
【図３】
2007023413.tif 000005
【図４】
2007023413.tif 000006
【図５】
2007023413.tif 000007
【図６】
2007023413.tif 000008
【図７】
2007023413.tif 000009
【図８】
2007023413.tif 000010
【図９】
2007023413.tif 000011
【図１０】
2007023413.tif 000012
【図１１】
2007023413.tif 000013
【図１２】
2007023413.tif 000014
【図１３】
2007023413.tif 000015
【図１４】
2007023413.tif 000016
【図１５】
2007023413.tif 000017
【図１６】
2007023413.tif 000018
【図１７】
2007023413.tif 000019
【図１８】
2007023413.tif 000020
【図１９】
2007023413.tif 000021
【図２０】
2007023413.tif 000022
【図２１】
2007023413.tif 000023
【図２２】
2007023413.tif 000024